(57)【要約】  発光装置（１０）は、第１発光領域（１００）及び第２発光領域（２００）を有している。第１発光領域（１００）は、少なくとも２種類以上の発光層を含む第１発光層群を発光させることにより第１の色を発光する。また第２発光領域（２００）は、少なくとも２種類以上の発光層を含む第２発光層群を発光させることにより第１の色（例えば昼光色、昼白色、白色、温白色、又は電球色）を発光する。そして第２発光層群が有する少なくとも１種類の発光層は、第１発光層群が有するいずれの発光層とも異なるスペクトルの光を発光する。このため、発光装置（１０）が発光する光の演色性は向上する。
2014038006.tif 000002
【特許請求の範囲】
【請求項１】
互いに異なるスペクトルピークの光を発光する複数種類の発光層で構成される第１発光層群を有する第１発光領域と、
互いに異なるスペクトルピークの光を発光する複数種類の発光層で構成される第２発光層群を有する第２発光領域と、
を備え、
前記第２発光層群の少なくとも１種類の発光層は、前記第１発光層群のいずれの発光層とも異なるスペクトルピークの光を発光し、
前記第１発光領域は、前記第１発光層群を発光させることにより第１の色を発光し、
前記第２発光領域は、前記第２発光層群を発光させることにより前記第１の色を発光する発光装置。
【請求項２】
請求項１に記載の発光装置において、
ｘｙ色度図において、前記第１発光領域が発光する前記第１の色と、前記第２発光領域が発光する前記第１の色は、同一色の色度の範囲内に含まれる発光装置。
【請求項３】
ストライプ状に形成された複数の発光層によりなる第１発光層群と、
ストライプ状に形成された複数の発光層によりなる第２発光層群とにより構成されている請求項２に記載の発光装置。
【請求項４】
前記第１発光層群は、赤色を発光する発光層、緑色を発光する発光層、及び青色を発光する発光層を含んでおり、
前記第２発光層群は、赤色を発光する発光層、黄色を発光する発光層、及び青色を発光する発光層を含んでいる請求項３に記載の発光装置。
【請求項５】
前記第１発光層群及び前記第２発光層群に加える電流値または電圧を制御することにより、前記第１発光領域及び前記第２発光領域から前記第１の色を発光させる制御部を備える請求項４に記載の発光装置。
【請求項６】
互いに重なって形成された複数の発光層によりなる前記第１発光層群と、
互いに重なって形成された複数の発光層によりなる前記第２発光層群とを含む請求項２に記載の発光装置。
【請求項７】
前記第１発光層群は、赤色を発光する発光層、緑色を発光する発光層、及び青色を発光する発光層を含んでおり、
前記第２発光層群は、赤色を発光する発光層、黄色を発光する発光層、及び青色を発光する発光層を含んでいる請求項６に記載の発光装置。
【請求項８】
前記第１発光層群及び前記第２発光層群に加える電流値または電圧を制御することにより、前記第１発光領域及び前記第２発光領域から前記第１の色を発光させる制御部を備える請求項７に記載の発光装置。
【発明の詳細な説明】
【技術分野】
【０００１】
本発明は、発光装置に関する。
【背景技術】
【０００２】
近年は、有機ＥＬ（Electro-Luminescence）素子などの発光素子を照明装置の光源として利用することが検討されている。このような照明装置に求められる特性の一つに、白色光の発光がある。例えば特許文献１には、図１に示すように、一つの基板上に赤色を発光する領域５２０、緑色を発光する領域５３０、及び青色を発光する領域５４０を形成し、これらの領域を同時に発光させることにより、白色光を発光させることが記載されている。【０００３】
一方、特許文献２には、複数のパネル状の有機発光光源を有する照明装置が記載されている。【０００４】
また特許文献３，４には、陽極と陰極の間で、複数の有機ＥＬ発光層を積層させることが記載されている。これらの文献には、複数の有機ＥＬ発光層それぞれの間に、電荷発生層を設けることが記載されている。
【先行技術文献】
【特許文献】
【０００５】
【特許文献１】特開２０１０−２７２８８６号公報
【特許文献２】特開２００４−３１３４１号公報
【特許文献３】特開２００３−２７２８６０号公報
【特許文献４】特開２００３−４５６７６号公報
【発明の概要】
【発明が解決しようとする課題】
【０００６】
照明として用いられる発光装置に求められる特性の一つに、演色性を向上させることがある。本発明が解決しようとする課題としては、演色性を向上させることが一例として挙げられる。
【課題を解決するための手段】
【０００７】
請求項１に記載の発明は、互いに異なるスペクトルピークの光を発光する複数種類の発光層で構成される第１発光層群を有する第１発光領域と、
互いに異なるスペクトルピークの光を発光する複数種類の発光層で構成される第２発光層群を有する第２発光領域と、
を備え、
前記第２発光層群の少なくとも１種類の前記発光層は、前記第１発光層群のいずれの発光層とも異なるスペクトルピークの光を発光し、
前記第１発光領域は、前記第１発光層群を発光させることにより第１の色を発光し、
前記第２発光領域は、前記第２発光層群を発光させることにより前記第１の色を発光する発光装置である。
【図面の簡単な説明】
【０００８】
上述した目的、およびその他の目的、特徴および利点は、以下に述べる好適な実施の形態、およびそれに付随する以下の図面によってさらに明らかになる。【０００９】
【図１】特許文献１に記載のを示す平面図である。
【図２】第１の実施形態に係る発光装置１０の構成を示す平面図である。
【図３】第１発光領域１００の構成を示す平面図である。
【図４】第２発光領域２００の構成を示す平面図である。
【図５】発光素子１１０の層構成を示す断面図である。
【図６】図２の変形例を示す平面図である。
【図７】第２の実施形態に係る発光装置１０の構成を示す平面図である。
【図８】図７の変形例を示す平面図である。
【図９】第３の実施形態に係る第１発光領域１００の平面図である。
【図１０】第３の実施形態に係る第２発光領域２００の平面図である。
【図１１】発光素子１４０の構成の第１例を示す断面図である。
【図１２】発光素子１４０の構成の第２例を示す断面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
また、以下の実施形態において、同一の色とは、ｘｙ色度図において予め定められた範囲に含まれる色、又は予め定められた範囲の色温度を有する色、すなわち同一色の範囲内の色度に含まれる領域として定義される。予め定められた範囲としては、例えばＪＩＳで定義されている範囲を用いることができる。例えば昼光色、昼白色、白色、温白色、及び電球色は、ＪＩＳＺ９１１２で定義されている通りである。この定義によれば、昼光色は、ｘｙ色度図において（０．３２７４，０．３６７３）、（０．３２８２，０．３２９７）、（０．２９９８，０．３３９６）、及び、（０．３０６４，０．３０９１）を頂点とした四角形で囲まれた領域であり、相間色温度Ｔｃｐは５７００〜７１００（Ｋ）である。また昼白色は、ｘｙ色度図において（０．３６１６，０．３８７５）、（０．３５５２，０．３４７６）、（０．３３２６，０．３６３５）、及び、（０．３３２４，０．３２９６）を頂点とした四角形で囲まれた領域であり、相間色温度Ｔｃｐは４６００〜５５００（Ｋ）である。また白色は、ｘｙ色度図において（０．３９８５，０．４１０２）、（０．３８４９，０．３６６８）、（０．３６５２，０．３８８０）、及び、（０．３５８４，０．３４９９）を頂点とした四角形で囲まれた領域であり、相間色温度Ｔｃｐは３８００〜４５００（Ｋ）である。また温白色は、ｘｙ色度図において（０．４３０５，０．４２１８）、（０．４１４１，０．３８３４）、（０．３９６６，０．４０４４）、及び、（０．３８５６，０．３６９３）を頂点とした四角形で囲まれた領域であり、相間色温度Ｔｃｐは３２５０〜３８００（Ｋ）である。また電球色は、ｘｙ色度図において（０．４８３４，０．４８３２）、（０．４５９４，０．３９７１）、（０．４３０５，０．４２１８）、及び、（０．４１５３，０．３８６２）を頂点とした四角形で囲まれた領域であり、相間色温度Ｔｃｐは２６００〜３２５０（Ｋ）である。
【００１２】
（第１の実施形態）
図２は、第１の実施形態に係る発光装置１０の構成を示す平面図である。図３は、発光装置１０が有する第１発光領域１００の構成を示す平面図である。図４は、発光装置１０が有する第２発光領域２００の構成を示す平面図である。
【００１３】
図２に示すように、発光装置１０は、第１発光領域１００及び第２発光領域２００を有している。第１発光領域１００は、図３に示すように、第１発光層群１０２を有している。第１発光層群１０２は、発光層１１２、発光層１２２、及び発光層１３２を有している。これら複数種類の発光層は、互いに異なるスペクトルピークを有する光を発光する。第２発光領域２００は、図４に示すように、第２発光層群２０２を有している。第２発光層群２０２は、発光層２１２、発光層２２２、及び発光層２３２を有している。これら複数種類の発光層は、互いに異なるスペクトルピークを有する光を発光する。そして第２発光層群２０２が有する少なくとも１種類の発光層は、第１発光層群１０２が有するいずれの発光層とも異なるスペクトルピークの光を発光する。例えば第１発光層群１０２を構成する発光層は、発光強度が最大となる波長が互いに異なっている。第２発光層群２０２を構成する発光層も、発光強度が最大となる波長が互いに異なっている。そして第２発光層群２０２が有する少なくとも１種類の発光層は、発光強度が最大となる波長が、第１発光層群１０２が有するいずれの発光層とも異なる。
【００１４】
そして第１発光領域１００は、第１発光層群１０２を発光させることにより第１の色を発光する。また第２発光領域２００も、第２発光層群２０２を発光させることにより第１の色（例えば昼光色、昼白色、白色、温白色、又は電球色）を発光する。第１の色を発光するとき、第２発光領域２００は、少なくとも、第１発光層群１０２が有するいずれの発光層とも異なるスペクトルピークの光を発光する発光層を発光させる。このため、発光装置１０が発光する光の演色性は向上する。
【００１５】
なお、第１発光領域１００が発光する光と、第２発光領域２００が発光する光は異なるスペクトルピークを含んでいる。ただし、第１発光領域１００が発光する第１の色の色度と、第２発光領域２００が発光する第１の色の色度はｘｙ色度図における同一の色の範囲内に位置する。ここで言う同一の色の範囲内とは、例えばJISＺ９１１２で定義されている範囲である。このため、人は同一の色と認識する。以下、詳細に説明する。
【００１６】
まず、図２を用いて発光装置１０を説明する。本実施形態において、第１発光領域１００は第１の発光パネルであり、第２発光領域２００は第２の発光パネルである。すなわち第１発光層群１０２と、第２発光層群２０２は、互いに異なる基板に形成されている。本図に示す例では第１発光領域１００及び第２発光領域２００は、２方向（図中Ｘ方向及びＹ方向）の双方において、互い違いに配置されている。
【００１７】
第１発光領域１００内において、第１発光層群１０２は、ストライプ状に形成された複数の発光層を有している。すなわち第１発光層群１０２を構成する複数の発光層は、平面視において互いに異なる領域に形成されている。また第２発光領域２００内において、第２発光層群２０２は、ストライプ状に形成された複数の発光層を有している。すなわち第２発光層群２０２を構成する複数の発光層は、平面視において互いに異なる領域に形成されている。このため、希望する種類の発光層のみを選択して発光させることができる。また第１発光層群１０２に属する複数の発光層の平面形状及び第２発光層群２０２に属する複数の発光層の平面形状はいずれもストライプ状である。このため、第１発光領域１００に複数の発光層を高密度に配置することができ、かつ第２発光領域２００に複数の発光層を高密度に配置することができる。
【００１８】
なお、第１発光領域１００が有する発光層及び第２発光領域２００が有する発光層は、例えば有機ＥＬ発光層であるが、他の発光層（例えばＬＥＤ：Light Emitting Diode）であってもよい。
【００１９】
各発光層に加わる電圧または電流は、制御部１２によって制御されている。制御部１２は、例えば表示ドライバである。この場合、制御部１２は、第１発光層群１０２が有する複数の発光層の発光強度を互いに独立して制御している。これにより、制御部１２は、第１発光領域１００が発光する光の色を変更することができる。また制御部１２は、第２発光層群２０２が有する複数の発光層の発光強度の相対比を制御することにより、第２発光領域２００が発光する光の色を変更することができる。
【００２０】
なお、第１発光領域１００及び第２発光領域２００が発光する光の色を固定してよい場合、制御部１２は、第１発光領域１００が有する発光層及び第２発光領域２００が有する発光層それぞれに予め定められた電圧を印加する回路、例えば互いに並列に設けられた複数の抵抗素子で形成されていても良い。
【００２１】
次に、図３を用いて第１発光領域１００の構成を説明する。第１発光領域１００は、発光素子１１０，１２０，１３０を有している。発光素子１１０，１２０，１３０はストライプ状であり、第１の方向（図中ｙ方向）に延伸している。また発光素子１１０，１２０，１３０は、第１の方向に直交する第２の方向（図中ｘ方向）にこの順に繰り返し配置されている。
【００２２】
発光素子１１０は発光層１１２を有しており、発光素子１２０は発光層１２２を有しており、発光素子１３０は発光層１３２を有している。発光層１１２，１２２，１３２は第１発光層群１０２を構成しており、互いに異なる色を発光する。例えば発光層１１２，１２２，１３２が発光する光の色の組み合わせは、赤、緑、及び青であるが、赤、黄、及び青であってもよいし、マゼンダ、黄、及びシアンであってもよいし、赤、シアン、及び青であっても良い。
【００２３】
次に、図４を用いて第２発光領域２００の構成を説明する。第２発光領域２００は、発光素子２１０，２２０，２３０を有している。発光素子２１０，２２０，２３０はストライプ状であり、第１の方向（図中ｙ方向）に延伸している。また発光素子２１０，２２０，２３０は、第１の方向に直交する第２の方向（図中ｘ方向）にこの順に繰り返し配置されている。
【００２４】
発光素子２１０は発光層２１２を有しており、発光素子２２０は発光層２２２を有しており、発光素子２３０は発光層２３２を有している。発光層２１２，２２２，２３２は第２発光層群２０２を構成しており、互いに異なる色を発光する。
【００２５】
発光層２１２，２２２，２３２のうち少なくとも一つは、第１発光領域１００の発光層１１２，１２２，１３２のいずれとも異なる色の光を発光する。
【００２６】
例えば第１発光領域１００の発光層１１２，１２２，１３２が発光する色の組み合わせが赤、緑、及び青である場合、第２発光領域２００の発光層２１２，２２２，２３２が発光する色の組み合わせは、赤、黄、及び青である。この場合、第１発光領域１００及び第２発光領域２００のいずれも、昼光色、昼白色、白色、温白色、及び電球色を発光することができる。なお、第２発光領域２００の発光層２１２，２２２，２３２が発光する色の組み合わせは、マゼンダ、黄、及びシアン、又は赤、シアン、及び青であってもよい。
【００２７】
また第１発光領域１００の発光層１１２，１２２，１３２が発光する色の組み合わせが赤、黄、及び青である場合、第２発光領域２００の発光層２１２，２２２，２３２が発光する色の組み合わせは、赤、緑、及び青、マゼンダ、黄、及びシアン、又は赤、シアン、及び青である。
【００２８】
また第１発光領域１００の発光層１１２，１２２，１３２が発光する色の組み合わせがマゼンダ、黄、及びシアンである場合、第２発光領域２００の発光層２１２，２２２，２３２が発光する色の組み合わせは、赤、緑、及び青、赤、黄、及び青、又は赤、シアン、及び青である。
【００２９】
また第１発光領域１００の発光層１１２，１２２，１３２が発光する色の組み合わせが赤、シアン、及び青である場合、第２発光領域２００の発光層２１２，２２２，２３２が発光する色の組み合わせは、赤、緑、及び青、赤、黄、及び青、又はマゼンダ、黄、及びシアンである。
【００３０】
なお、第２発光領域２００の発光層２１２，２２２，２３２が発光する色の組み合わせは、第１発光領域１００の発光層１１２，１２２，１３２が発光する色の組み合わせと同じであっても良い。ただしこの場合においても、発光層２１２，２２２，２３２の少なくとも一つは、発光する光のスペクトルピークが発光層１１２，１２２，１３２とは異なる。この場合であっても、発光装置１０の演色性を高めることができる。
【００３１】
図５は、発光素子１１０の層構成を示す断面図である。この図に示す例において、発光素子１１０は、有機ＥＬ素子である。発光素子１１０は、基板３００上に、陽極３０２、正孔注入層３１２、正孔輸送層３１４、発光層１１２、電子輸送層３１６、電子注入層３１８、及び陰極３０４をこの順に積層した積層構造を有している。
【００３２】
なお、発光素子１２０，１３０，２１０，２２０，２３０が有機ＥＬ素子である場合、これら発光素子は、発光層１１２の代わりに発光層１２２、発光層１３２、発光層２１２、発光層２２２、又は発光層２３２が形成される点を除いて、発光素子１１０と同様の層構成を有している。第１発光領域１００が有する発光素子及び第２発光領域２００が有する発光素子がいずれも有機ＥＬ素子である場合、各発光素子が発光する光のスペクトルをブロードにし、演色性評価数の基準光のスペクトルに近付けることができる。この場合、発光装置１０の演色性を特に高くすることができる。
【００３３】
基板３００は、例えば石英、ガラス、金属、またはプラスチックなどの樹脂によって形成されている。陽極３０２及び陰極３０４は、一方がＩＴＯ（Indium Tin Oxide）、ＩＺＯ（インジウム亜鉛酸化物）、及びＺｎＯ（酸化亜鉛）などの透明電極であり、他方がＡｌなどの金属によって形成されている。
【００３４】
正孔注入層３１２、正孔輸送層３１４、発光層１１２、電子輸送層３１６、及び電子注入層３１８は、塗布法及び蒸着法のいずれの方法で形成されても良い。なお、蒸着法により形成される場合、各層の材料としては、以下が例示される。
【００３５】
発光層１１２に用いられる燐光性の有機化合物としては、イリジウム錯体であるBis (3,5-difluoro-2- (2-pyridyl) phenyl- (2-carboxypyridyl) iridium （III）、Tris (2-phenylpyridine) iridium(III)、Bis (2-phenylbenzothiazolato) (acetylacetonate) iridium(III)、オスミウム錯体であるOsmium(II) bis(3-trifluoromethyl -5-(2-pyridyl) -pyrazolate)dimethylphenylphosphine、希土類化合物のTris (dibenzoylmethane) phenanthroline europium(III)、白金錯体である2,3,7,8,12,13,17,18-Octaethyl-21H, 23H- porphine,platinum(II)等を例示することができる。
【００３６】
また、発光層１１２、電子輸送層３１６、及び電子注入層３１８の主成分となる電子輸送性を有する有機化合物としては、ｐ−テルフェニルやクアテルフェニル等の多環化合物およびそれらの誘導体、ナフタレン、テトラセン、ピレン、コロネン、クリセン、アントラセン、ジフェニルアントラセン、ナフタセン、フェナントレン等の縮合多環炭化水素化合物及びそれらの誘導体、フェナントロリン、バソフェナントロリン、フェナントリジン、アクリジン、キノリン、キノキサリン、フェナジン等の縮合複素環化合物およびそれらの誘導体や、フルオロセイン、ペリレン、フタロペリレン、ナフタロペリレン、ペリノン、フタロペリノン、ナフタロペリノン、ジフェニルブタジエン、テトラフェニルブタジエン、オキサジアゾール、アルダジン、ビスベンゾキサゾリン、ビススチリル、ピラジン、シクロペンタジエン、オキシン、アミノキノリン、イミン、ジフェニルエチレン、ビニルアントラセン、ジアミノカルバゾール、ピラン、チオピラン、ポリメチン、メロシアニン、キナクリドン、ルブレン等およびそれらの誘導体等を例示することができる。
【００３７】
さらに、電子輸送性を有する有機化合物として、金属キレート錯体化合物、特に金属キレート化オキサノイド化合物では、トリス（８−キノリノラト）アルミニウム、ビス（８−キノリノラト）マグネシウム、ビス［ベンゾ（ｆ）−８−キノリノラト］亜鉛、ビス（２−メチル−８−キノリノラト）（４−フェニル−フェノラト）アルミニウム、トリス（８−キノリノラト）インジウム、トリス（５−メチル−８−キノリノラト）アルミニウム、８−キノリノラトリチウム、トリス（５−クロロ−８−キノリノラト）ガリウム、ビス（５−クロロ−８−キノリノラト）カルシウム等の８−キノリノラト或いはその誘導体を配位子として少なくとも一つ有する金属錯体も例示することができる。
【００３８】
また、電子輸送性を有する有機化合物として、オキサジアゾール類、トリアジン類、スチルベン誘導体およびジスチリルアリーレン誘導体、スチリル誘導体、ジオレフィン誘導体も好適に使用され得る。
【００３９】
さらに、電子輸送性を有する有機化合物として使用できる有機化合物として、２，５−ビス（５，７−ジ−ｔ−ベンチル−２−ベンゾオキサゾリル）−１，３，４−チアゾール、４，４'−ビス（５，７−ｔ−ペンチル−２−ベンゾオキサゾリル）スチルベン、４，４'−ビス［５，７−ジ−（２−メチル−２−ブチル）−２−ベンゾオキサゾリル］スチルベン、２，５−ビス（５．７−ジ−ｔ−ペンチル−２−ベンゾオキサゾリル）チオフェン、２，５−ビス［５−（α，α−ジメチルベンジル）−２−ベンゾオキサゾリル］チオフェン、２，５−ビス［５，７−ジ−（２−メチル−２−ブチル）−２−ベンゾオキサゾリル］−３，４−ジフェニルチオフェン、２，５−ビス（５−メチル−２−ベンゾオキサゾリル）チオフェン、４，４'−ビス（２−ベンゾオキサゾリル）ビフェニル、５−メチル−２−｛２−［４−（５−メチル−２−ベンゾオキサゾリル）フェニル］ビニル｝ベンゾオキサゾール、２−［２−（４−クロロフェニル）ビニル］ナフト（１，２−ｄ）オキサゾール等のベンゾオキサゾール系、２，２'−（ｐ−フェニレンジピニレン）−ビスベンゾチアゾール等のベンゾチアゾール系、２−｛２−［４−（２−ベンゾイミダゾリル）フェニル〕ビニル｝ベンゾイミダゾール、２−［２−（４−カルボキシフェニル）ビニル］ベンゾイミダゾール等も挙げられる。
【００４０】
さらに、電子輸送性を有する有機化合物として、１，４−ビス（２−メチルスチリル）ベンゼン、１，４−ビス（３−メチルスチリル）ベンゼン、１，４−ビス（４−メチルスチリル）ベンゼン、ジスチリルベンゼン、１，４−ビス（２−エチルスチリル）ベンゼン、１，４−ビス（３−エチルスチリル）ベンゼン、１，４−ビス（２−メチルスチリル）−２−メチルベンゼン、１，４−ビス（２−メチルスチリル）−２−エチルベンゼン等も挙げられる。
【００４１】
また、さらに、電子輸送性を有する有機化合物として、２，５−ビス（４−メチルスチリル）ピラジン、２，５−ビス（４−エチルスチリル）ピラジン、２，５−ビス［２−（１−ナフチル）ビニル］ピラジン、２，５−ビス（４−メトキシスチリル）ピラジン、２，５−ビス［２−（４−ビフェニル）ビニル］ピラジン、２，５−ビス［２−（１−ピレニル）ビニル］ピラジン等が挙げられる。
【００４２】
その他、さらに、電子輸送性を有する有機化合物として、１，４−フェニレンジメチリディン、４，４'−フェニレンジメチリディン、２，５−キシリレンジメチリディン、２，６−ナフチレンジメチリディン、１，４−ビフェニレンジメチリディン、１，４−ｐ−テレフェニレンジメチリディン、９，１０−アントラセンジイルジメチリディン、４，４'−（２，２−ジ−ｔ−ブチルフェニルビニル）ビフェニル、４，４'−（２，２−ジフェニルビニル）ビフェニル等、従来有機ＥＬ素子の作製に使用されている公知のものを適宜用いることができる。
【００４３】
一方、正孔輸送層３１４や正孔輸送性の発光層に用いられ、正孔輸送性を有する有機化合物としては、Ｎ，Ｎ，Ｎ'，Ｎ'−テトラフェニル−４，４'−ジアミノフェニル、Ｎ，Ｎ'−ジフェニル−Ｎ，Ｎ'−ジ（３−メチルフェニル）−４，４'−ジアミノビフェニル、２，２−ビス（４−ジ−ｐ−トリルアミノフェニル）プロパン、Ｎ，Ｎ，Ｎ'，Ｎ'−テトラ−ｐ−トリル−４，４'−ジアミノビフェニル、ビス（４−ジ−ｐ−トリルアミノフェニル）フェニルメタン、Ｎ，Ｎ'−ジフェニル−Ｎ，Ｎ'−ジ（４−メトキシフェニル）−４，４'−ジアミノビフェニル、Ｎ，Ｎ，Ｎ'，Ｎ'−テトラフェニル−４，４'−ジアミノジフェニルエーテル、４，４'−ビス（ジフェニルアミノ）クオードリフェニル、４−Ｎ，Ｎ−ジフェニルアミノ−（２−ジフェニルビニル）ベンゼン、３−メトキシ−４'−Ｎ，Ｎ−ジフェニルアミノスチルベンゼン、Ｎ−フェニルカルバゾール、１，１−ビス（４−ジ−ｐ−トリアミノフェニル）−シクロヘキサン、１，１−ビス（４−ジ−ｐ−トリアミノフェニル）−４−フェニルシクロヘキサン、ビス（４−ジメチルアミノ−２−メチルフェニル）−フェニルメタン、Ｎ，Ｎ，Ｎ−トリ（ｐ−トリル）アミン、４−（ジ−ｐ−トリルアミノ）−４'−［４（ジ−ｐ−トリルアミノ）スチリル］スチルベン、Ｎ，Ｎ，Ｎ'，Ｎ'−テトラ−ｐ−トリル−４，４'−ジアミノ−ビフェニル、Ｎ，Ｎ，Ｎ'，Ｎ'−テトラフェニル−４，４'−ジアミノ−ビフェニルＮ−フェニルカルバゾール、４，４'−ビス［Ｎ−（１−ナフチル）−Ｎ−フェニル−アミノ］ビフェニル、４，４''−ビス［Ｎ−（１−ナフチル）−Ｎ−フェニル−アミノ］ｐ−ターフェニル、４，４'−ビス［Ｎ−（２−ナフチル）−Ｎ−フェニル−アミノ］ビフェニル、４，４'−ビス［Ｎ−（３−アセナフテニル）−Ｎ−フェニル−アミノ］ビフェニル、１，５−ビス［Ｎ−（１−ナフチル）−Ｎ−フェニル−アミノ］ナフタレン、４，４'−ビス［Ｎ−（９−アントリル）−Ｎ−フェニル−アミノ］ビフェニル、４，４''−ビス［Ｎ−（１−アントリル）−Ｎ−フェニル−アミノ］ｐ−ターフェニル、４，４'−ビス［Ｎ−（２−フェナントリル）−Ｎ−フェニル−アミノ］ビフェニル、４，４'−ビス［Ｎ−（８−フルオランテニル）−Ｎ−フェニル−アミノ］ビフェニル、４，４'−ビス［Ｎ−（２−ピレニル）−Ｎ−フェニル−アミノ］ビフェニル、４，４'−ビス［Ｎ−（２−ペリレニル）−Ｎ−フェニル−アミノ］ビフェニル、４，４'−ビス［Ｎ−（１−コロネニル）−Ｎ−フェニル−アミノ］ビフェニル、２，６−ビス（ジ−ｐ−トリルアミノ）ナフタレン、２，６−ビス［ジ−（１−ナフチル）アミノ］ナフタレン、２，６−ビス［Ｎ−（１−ナフチル）−Ｎ−（２−ナフチル）アミノ］ナフタレン、４．４''−ビス［Ｎ，Ｎ−ジ（２−ナフチル）アミノ］ターフェニル、４．４'−ビス｛Ｎ−フェニル−Ｎ−［４−（１−ナフチル）フェニル］アミノ｝ビフェニル、４，４'−ビス［Ｎ−フェニル−Ｎ−（２−ピレニル）−アミノ］ビフェニル、２，６−ビス［Ｎ，Ｎ−ジ（２−ナフチル）アミノ］フルオレン、４，４''−ビス（Ｎ，Ｎ−ジ−ｐ−トリルアミノ）ターフェニル、ビス（Ｎ−１−ナフチル）（Ｎ−２−ナフチル）アミン等を例示することが��きる。
【００４４】
さらに、正孔輸送性を有する有機化合物としては、上述の有機化合物をポリマ中に分散したものや、ポリマ化したものも使用できる。ポリパラフェニレンビニレンやその誘導体等のいわゆるπ共役ポリマ、ポリ（Ｎ−ビニルカルバゾール）に代表される正孔輸送性非共役ポリマ、ポリシラン類のシグマ共役ポリマも用いることができる。
【００４５】
正孔注入層３１２としては、特に限定はないが、銅フタロシアニン（CuPc:Copper Phthalocyanine）等の金属フタロシアニン類および無金属フタロシアニン類、カーボン膜、ポリアニリン等の導電性ポリマが好適に使用できる。
【００４６】
そして、発光素子１１０が発光する光のスペクトルピークは、例えば発光層１１２の材料や膜厚を変えることにより、変更することができる、また、陽極３０２と陰極３０４の間の厚さｔ１を変えることによっても、発光素子１１０が発光する光のスペクトルピークを変えることができる。発光素子１２０，１３０，２１０，２２０，２３０についても、同様である。
【００４７】
以上、本実施形態によれば、発光装置１０は第１発光領域１００及び第２発光領域２００を有している。第１発光領域１００及び第２発光領域２００は、いずれも同一の色の光を発光することができる。そして第２発光領域２００が有する発光層２１２，２２２，２３２の少なくとも一つは、第１発光領域１００が有する発光層１１２，１２２，１３２のいずれとも異なるスペクトルピークを有する光を発光する。従って、発光装置１０が発光する光の演色性は向上する。
【００４８】
特に本実施形態では、発光素子１１０，１２０，１３０，２１０，２２０，２３０はストライプ状である。ここで、これらの発光素子を同一の領域に繰り返し配置した場合、同一の発光素子の配置間隔（例えば発光素子１１０の配置間隔）が人の目の分解能よりも広くなり、発光装置１０が発光する光が白色に見えなくなる可能性がある。これに対して本実施形態では、発光素子１１０，１２０，１３０は第１発光領域１００に形成し、発光素子２１０，２２０，２３０は第２発光領域２００に配置しているため、このような問題が生じることを抑制できる。
【００４９】
なお、第１発光領域１００及び第２発光領域２００の配置は、図２に示した例に限定されない。例えば図６に示すように、第１発光領域１００及び第２発光領域２００は、一方向（図中Ｙ方向）に互い違いに配置されていても良い。
【００５０】
（第２の実施形態）
図７は、第２の実施形態に係る発光装置１０の構成を示す平面図である。本実施形態に係る発光装置１０は、第１発光領域１００の基板３００及び第２発光領域２００の基板３００が一体である点を除いて、第１の実施形態に係る発光装置１０と同様の構成である。
【００５１】
具体的には、基板３００のうち第１発光領域１００となるべき領域には、図３に示した発光素子１１０，１２０，１３０が繰り返し配置されている。また基板３００のうち第２発光領域２００となるべき領域には、図４に示した発光素子２１０，２２０，２３０が繰り返し配置されている。
【００５２】
なお、図８に示すように、第１発光領域１００の周囲を第２発光領域２００が取り囲むように、第１発光領域１００及び第２発光領域２００を配置しても良い。
【００５３】
本実施形態によっても、第１の実施形態と同様の効果を得ることができる。また、一つの基板３００に第１発光領域１００及び第２発光領域２００が形成されているため、発光装置１０を所望する位置に設置するときの労力が小さくなる。
【００５４】
（第３の実施形態）
第３の実施形態に係る発光装置１０は、第１発光領域１００が有する発光層のレイアウト、及び第２発光領域２００が有する発光層のレイアウトを除いて、第１の実施形態に係る発光装置１０と同様の構成である。
【００５５】
図９は、本実施形態に係る第１発光領域１００の平面図である。本実施形態において、第１発光領域１００は基板３００のほぼ全面上に発光素子１４０を有している。発光素子１４０は、発光層１１２，１２２，１３２を積層した構成を有している。すなわち発光素子１４０からは、発光層１１２が発光した光、発光層１２２が発光した光、及び発光層１３２が発光した光が重なって出射される。
【００５６】
図１０は、本実施形態に係る第２発光領域２００の平面図である。本実施形態において、第２発光領域２００は基板３００のほぼ全面上に発光素子２４０を有している。発光素子２４０は、発光層２１２，２２２，２３２を積層した構成を有している。すなわち発光素子２４０からは、発光層２１２が発光した光、発光層２２２が発光した光、及び発光層２３２が発光した光が重なって出射される。
【００５７】
図１１は、発光素子１４０の構成の第１例を示す断面図である。発光素子１４０は、基板３００上に、陽極３０２、正孔注入層３１２、正孔輸送層３１４、発光層１１２、発光層１２２、発光層１３２、電子輸送層３１６、電子注入層３１８、及び陰極３０４をこの順に積層した構成を示している。すなわち陽極３０２及び陰極３０４の間には、発光層１１２，１２２，１３２が互いに重なって形成されている。発光層１１２，１２２，１３２は互いに直列に配置されている。
【００５８】
図１２は、発光素子１４０の構成の第２例を示す断面図である。本例における発光素子１４０は、発光層１１２と発光層１２２の間に電荷発生層１５０が設けられており、発光層１２２と発光層１３２の間に電荷発生層１５２が設けられている点を除いて、図１１に示した第１例と同様の構成である。電荷発生層１５０及び電荷発生層１５２としては、例えば特許文献３に記載された材料を用いることができる。
【００５９】
そして、発光層１１２，１２２，１３２の材料や膜厚などは、第１発光領域１００から第１の色の光が出射されるように、調整されている。
【００６０】
なお発光素子２４０の構成は、発光層１１２，１２２，１３２の代わりに発光層２１２，２２２，２３２を有している点を除いて、図１１又は図１２に示した発光素子１４０の構成と同様である。そして、発光層２１２，２２２，２３２の材料や膜厚などは、第２発光領域２００から第１の色の光が出射されるように、調整されている。
【００６１】
なお本実施形態において、第２の実施形態に係る発光装置１０のように、発光素子１４０及び発光素子２４０は、同一の基板３００のうち互いに異なる領域に形成されていても良い。
【００６２】
本実施形態によっても、第１の実施形態と同様の効果を得ることができる。また第１発光領域１００からは、発光層１１２が発光した光、発光層１２２が発光した光、及び発光層１３２が発光した光が重なって出射され、第２発光領域２００からは、発光層２１２が発光した光、発光層２２２が発光した光、及び発光層２３２が発光した光が重なって出射される。このため、発光装置１０に近づいても、第１発光領域１００及び第２発光領域２００が出射する光は、いずれも第１の光に見える。
【００６３】
以上、図面を参照して本発明の実施形態について述べたが、これらは本発明の例示であり、上記以外の様々な構成を採用することもできる。
【図１】
2014038006.tif 000003
【図２】
2014038006.tif 000004
【図３】
2014038006.tif 000005
【図４】
2014038006.tif 000006
【図５】
2014038006.tif 000007
【図６】
2014038006.tif 000008
【図７】
2014038006.tif 000009
【図８】
2014038006.tif 000010
【図９】
2014038006.tif 000011
【図１０】
2014038006.tif 000012
【図１１】
2014038006.tif 000013
【図１２】
2014038006.tif 000014
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
赤色を発光する発光層、緑色を発光する発光層、及び青色を発光する発光層を含む第１発光層群を有する第１発光領域と、
前記第１発光層群とは異なる発光スペクトルで発光する第２発光層群を有する第２発光領域と、
を備え、
前記第１発光層群及び前記第２発光層群の色度又は色温度は、それぞれ、第１の色の範囲に含まれている発光装置。
【請求項２】
前記第１の色の色温度は、JISＺ9112で規定される昼光色、昼白色、白色、温白色及び電球色のいずれかである請求項１に記載の発光装置。
【請求項３】
前記第２発光層群は、赤色を発光する発光層、黄色を発光する発光層、及び青色を発光する発光層を含んでいる請求項２に記載の発光装置。
【請求項４】
前記第１発光層群は、ストライプ状に形成された複数の発光層を有しており、
前記第２発光層群は、ストライプ状に形成された複数の発光層を有している請求項３に記載の発光装置。
【請求項５】
前記第１発光層群及び前記第２発光層群に加える電流値または電圧を制御することにより、前記第１発光領域が発光する光の色度及び前記第２発光領域が発光する光の色度を前記第１の色の範囲に含ませる制御部を備える請求項４に記載の発光装置。
【請求項６】
互いに重なって形成された複数の発光層によりなる前記第１発光層群と、
互いに重なって形成された複数の発光層によりなる前記第２発光層群とを含む請求項５に記載の発光装置。
【国際調査報告】
2014038006.tif 000015
2014038006.tif 000016
2014038006.tif 000017
2014038006.tif 000018
2014038006.tif 000019
2014038006.tif 000020